(57)【要約】【課題】本発明は、燃焼機器の運転ボタンの構成に関するものであり、輝度の異なる２色発光タイプの燃焼ランプにおいて、均一かつ適度な拡散を保つランプ表示を兼ねた運転ボタンを提供する。【解決手段】燃焼ランプを被うようにランプワクを設け、さらにこのランプワクに当接し二重構造を持つ運転ボタンを形成し、前記燃焼ランプおよび運転ボタンの乳白色の濃度を変え燃焼ランプの光の拡散を二段階にしたものである。【選択図】　図１
2004144360.tif 000002
【特許請求の範囲】
【請求項１】
運転スイッチＯＮ時、第１の光を発し、所定のシーケンス経過後に第２の光を発する２色発光燃焼ランプを被うようにランプワクを設け、該ランプワクに当接し、且つ前記２色発光燃焼ランプの先端方向に一定の空間を保ち二重構造を形成するランプ表示を兼ねた運転ボタンを備え、該運転ボタンを操作することにより、前記ランプワクの外周部に設けた凸部で運転スイッチをＯＮ−ＯＦＦさせるようにした燃焼機器の運転ボタン構成。
【請求項２】
運転ボタンおよびランプワクを乳白色の樹脂成形品とし、ランプワクは運転ボタンより乳白色の度合いを濃くした請求項１記載の燃焼機器の運転ボタン構成。
【発明の詳細な説明】
【０００１】
【発明の属する技術分野】
本発明は、燃焼機器の運転ボタン構成に関するものである。
【０００２】
【従来の技術】
従来の燃焼機器を図２に、またその運転操作部および電装基板を図３に示す。
【０００３】
バーナー１でガスの燃焼を行う。燃焼により発生した排ガスと空気を混合する燃焼室２がある。バーナー１の下方には温風３を送り出すための対流用ファン４を設けている。対流用ファン４の前方には温風吹出し口５が取り付けられている。ケース６の後面には対流用空気７を取り入れるための対流用フィルター８がある。パネル１２には運転機能を司る電装基板１３および操作を司る電装基板１４を備え、各々の機能を総括する制御器１１に連動している。
【０００４】
次にその動作について説明する。パネル１２に組み込まれた運転ボタン１５を押すと運転スイッチ１６がＯＮになり、制御器１１に信号が送られ点火動作に入ると共に燃焼ランプ１７が第１の光を発する。この第１の光は緑色が一般的である。所定のシーケンスを経過しバーナー１でガスが安定燃焼に入ると、燃焼ランプ１７は第２の光に変化する。この第２の光は赤色が一般的である。この時、乳白色を持つ運転ボタン１５は燃焼ランプ１７の光により拡散し、淡い光となり燃焼状態に入ったことを知らせる。またバーナー１から発生する高温の燃焼排ガス９と、燃焼室２の燃焼風路１０内で対流用フィルター８を通過した対流用空気７ａが混合して適度の温度となり、対流用ファン４により温風吹出し口５から温風３となって送り出され、室内を対流暖房するようになっている。さらに必要に応じ、電装基板１４に組み込まれた各スイッチ類（例えば１８）を操作することで、燃焼量を変えたり、タイマー操作を行ったりすることができるようになっている。
【０００５】
【発明が解決しようとする課題】
昨今、機器の操作性の向上、視認性の向上等で、運転ボタンが光る表示部を兼ね備えたものが増えつつあり、またその大きさも大型化してきている。しかしながら現在一般的な緑色と赤色の２色発光燃焼ランプは、輝度は緑色が弱く、赤色が強いため、乳白色を持つ運転ボタンの表面全体に適度な拡散を与えるためには、常時点灯する赤色を重視し、燃焼ランプと運転ボタンの距離を広くする必要があった。このため燃焼ランプが緑色を発光しているときは、運転ボタンの色が薄く識別しにくいものであった。また電装基板を取付けるためのスペースも必要以上に広くなり、図３に示すように、運転を司る電装基板１３と、操作を司る電装基板１４を分離するなどしてスペースを確保するため、コスト的にも高いものになっていた。
【０００６】
【課題を解決するための手段】
本発明は上記課題を解決するため、運転ボタン部をランプワクと運転ボタンの二重構造とし、全体の高さを低くしたものである。燃焼ランプを被うように乳白色の濃いランプワクを設け、さらに、乳白色のやや薄い運転ボタンをランプワクに当接することで、燃焼ランプの輝度が強い赤色の光は乳白色の濃いランプワクで均一に拡散し、さらに乳白色のやや薄い運転ボタンの表面で二段階に拡散し淡い光を発することができる。また、燃焼ランプの輝度が弱い緑色の光においては、燃焼ランプと運転ボタンとの距離が狭く、さらには運転ボタンの乳白色も薄いため識別に支障はない。
【０００７】
また、運転ボタン部はランプワクと運転ボタンの二重構造で且つ、全体の高さも低いため運転を司る電装基板と、操作を司る電装基板を一体とすることができ、設置スペースも少なくできるため機器全体の大きさを抑えることができる。
【０００８】
【発明の実施の形態】
本発明は請求項１に記載のように、２色発光する燃焼ランプを被うようにランプワクを設け、さらにこのランプワクに当接し二重構造を形成する運転ボタンを備えることで、燃焼ランプの光の拡散を二段階にすることができ、その結果ランプワクと運転ボタンの高さを低くできるものである。
【０００９】
また請求項２に記載のように、ランプワクは乳白色の濃い樹脂成形品であり、燃焼ランプの輝度の強い赤色の光はこのランプワクで均一に拡散し、ランプワクより乳白色の薄い樹脂成形品の運転ボタンの表面で淡い光を発することができる。
【００１０】
また、燃焼ランプの輝度の弱い緑色の光においては、ランプワクで淡く拡散するが、近接する運転ボタンとの距離が狭く、また運転ボタンの乳白色が薄いため識別も容易である。
【００１１】
【実施例】
以下、本発明の実施例について図１を用いて説明する。なお、燃焼機器の断面図およびその動作等については従来の技術と同じため同一図面（図２）を用い説明する。
【００１２】
（実施例１）
図１は本発明の実施例における運転操作部および電装基板を示す断面図である。
【００１３】
パネル１２に組み込まれた運転ボタン１５を押すと、運転ボタン１５に当接し、二重構造を形成するランプワク１９の外周部に設けた凸部１９ａで運転スイッチ１６をＯＮし、制御器１１に信号が送られ点火動作に入ると共に燃焼ランプ１７が緑色に光る。さらに所定のシーケンスを経過しバーナー１でガスが安定燃焼に入ると、燃焼ランプ１７は赤色に変化し機器が継続燃焼することを知らせる。以下の動作については従来例と同様のため説明を省略する。この時、緑色の光や赤色の光は、各々ランプワク１９の表面および運転ボタン１５の表面で二段階に拡散するため、大型の運転ボタン１５でも燃焼ランプ１７と運転ボタン１５までの距離は狭くすることができ、機器の操作に必要なその他のスイッチ類１８を同一電装基板に取付けることができる。またその設置スペースも少ないものにできる。
【００１４】
（実施例２）
ランプワク１９は例えばジュラコンのように乳白色が濃いため、点火動作中の燃焼ランプ１７の輝度が弱い緑色の光は、ランプワク１９で淡く拡散するが、運転ボタン１５が半透明で乳白色が薄く、且つランプワク１９と近接しその距離も狭いため識別も容易にできるものである。また、輝度が強い赤色の光は、ランプワク１９の乳白色が濃いため表面で均一に拡散し、さらに近接する運転ランプ１５の表面でも二段階に拡散するため、赤色の光は適度な淡さを保ち、かつ鮮明であるため、機器が運転状態にあることが容易に確認できるものである。
【００１５】
【発明の効果】
以上のように本発明によれば、ランプワクと運転ボタンを二重構造とすることで、燃焼ランプの光を二段階に拡散できるため、燃焼ランプの取り付く電装基板と運転ボタンとの高さを低くすることができるものである。
【００１６】
また、ランプワクと運転ボタンの乳白色の濃度を変えることで、輝度が異なる２色発光タイプの燃焼ランプにおいても、均一かつ適度な拡散を保ち、識別も容易に行えるものである。
【００１７】
さらに、上記各々の相乗効果として、燃焼ランプが取り付く電装基板と、機器の操作に必要なその他のスイッチ類やランプ類が取り付く電装基板を一体にすることができ、その設置スペースも少ないものにできる。またコスト面でも安価になる。
【図面の簡単な説明】
【図１】本発明の実施例における燃焼機器の運転ボタン構成を示す断面図
【図２】従来の燃焼機器を示す断面図
【図３】従来の燃焼機器の運転ボタン構成を示す断面図
【符号の説明】
１　バーナー
２　燃焼室
４　対流用ファン
５　温風吹出し口
１１　制御器
１２　パネル
１３　電装基板
１５　運転ボタン
１７　燃焼ランプ
１９　ランプワク
【図１】
2004144360.tif 000003
【図２】
2004144360.tif 000004
【図３】
2004144360.tif 000005